(57)【要約】【課題】フォーマットやコンテンツ内容を示す画像の画角が異なるコンテンツ信号を用いてコンテンツ送出を行う。【解決手段】ＳＤスイッチャ１３とＨＤスイッチャ１５を設け、コンテンツ信号の信号切替をフォーマット毎に行う。ＳＤコンテンツ供給部１１からＳＤフォーマットのコンテンツ信号をスイッチャ１３に供給する。ＨＤコンテンツ供給部１２からＨＤフォーマットのコンテンツ信号をスイッチャ１５に供給する。アップコンバータ１４は、スイッチャ１３から出力される信号をＨＤフォーマットに変換してスイッチャ１５に供給する。ダウンコンバータ１６は、スイッチャ１５から出力される信号をＳＤフォーマットに変換してスイッチャ１３に供給する。コンバータ１４，１６は画角変換も行う。制御部は、コンテンツ供給部１１，１２、スイッチャ１３，１５の動作を制御する。コンテンツ供給部からの信号を異なるフォーマットの信号として同時に送出できる。【選択図】        図１
2006203821.tif 000002
【特許請求の範囲】
【請求項１】
コンテンツ信号の信号切替を該コンテンツ信号のフォーマット毎に行う信号切替手段と、
前記信号切替手段に対してコンテンツ信号を供給する信号供給手段と、
前記信号切替手段から出力されるコンテンツ信号を異なるフォーマットに変換して、前記信号切替手段に供給する信号変換手段と、
前記信号供給手段の信号供給動作と前記信号切替手段の信号切替動作を制御して、コンテンツ送出予定に基づき前記信号切替手段からコンテンツ信号の送出を行う制御手段とを有する
ことを特徴とする自動送出システム。
【請求項２】
前記制御手段は、第１のフォーマットのコンテンツ信号を前記信号切替手段で選択して送出するとき、該送出するコンテンツ信号を前記信号変換手段で前記第１のフォーマットとは異なる第２のフォーマットの信号に変換して前記信号切替手段に供給し、該信号切替手段から前記第２のフォーマットの信号を送出させる
ことを特徴とする請求項１記載の自動送出システム。
【請求項３】
前記信号変換手段は、画角変換を行う
ことを特徴とする請求項２記載の自動送出システム。
【請求項４】
前記制御手段は、前記第１のフォーマットのコンテンツ信号を前記信号切替手段で選択して送出するとき、該送出するコンテンツ信号のコンテンツ内容を示す画像の画角に応じて前記信号変換手段で画角変換を行った前記２のフォーマットの信号を前記信号切替手段から送出させる
ことを特徴とする請求項３記載の自動送出システム。
【請求項５】
前記制御手段は、送出するコンテンツ信号の切替時に、前記信号変換手段で処理された信号を新たに前記信号切替手段で選択して送出する場合、該選択する信号が切替時に前記信号切替手段に供給されているように、切替後に送出するコンテンツ信号を切替前に前記信号供給手段から前記信号切替手段を介して前記信号変換手段に供給させる
ことを特徴とする請求項２記載の自動送出システム。
【発明の詳細な説明】
【技術分野】
【０００１】
この発明は、自動送出システムに関する。詳しくは、フォーマットやコンテンツ内容を示す画像の画角が異なるコンテンツ信号を用いても、画質の劣化が少なく、表示領域を有効に利用してコンテンツ内容を正しく表示できるようにコンテンツ送出を自動的に行うものである。
【背景技術】
【０００２】
従来、テレビジョン放送の放送局やケーブルテレビのヘッドエンドでは、例えば特許文献１の発明のように、種々の放送素材や配信素材（以下「コンテンツ」という）の信号を、所定のスケジュールに基づき決められた時間に決められたチャネルで送出する自動送出システムが利用されている。この自動送出システムで用いられるコンテンツ信号は、例えば中継アンテナやネットワーク等を介して供給されてサーバに蓄積されたコンテンツ信号、ビデオテープや光ディスク等の記録媒体に記録されているコンテンツ信号など、様々なコンテンツ信号が用いられる。また、コンテンツ信号は、従来のＳＤ(Standard Definition)フォーマットの信号だけでなく、ＳＤフォーマットの信号よりも高解像度であるＨＤ(High Definition)フォーマットの信号も用いられる。
【０００３】
【特許文献１】特開平１０−４１９０６号公報
【発明の開示】
【発明が解決しようとする課題】
【０００４】
ところで、ＳＤフォーマットのコンテンツ信号（以下「ＳＤコンテンツ信号」という）Ｄsiや、ＨＤフォーマットのコンテンツ信号（以下「ＨＤコンテンツ信号」という）Ｄhiを用いる場合、図１０に示す従来の自動送出システムでは、ＳＤコンテンツ供給部５１から出力されるＳＤコンテンツ信号Ｄsiをアップコンバータ５３でＨＤフォーマットの信号Ｄs-hに変換してＨＤスイッチャ５４に供給する。また、ＨＤコンテンツ供給部５２から出力されたＨＤコンテンツ信号ＤhiをＨＤスイッチャ５４に供給する。ＨＤスイッチャ５４では、ＨＤコンテンツ供給部５２から供給されたＨＤコンテンツ信号Ｄhiやアップコンバータ５３から供給された信号Ｄs-hから送出する信号を選択して、ＨＤ送出信号Ｄhoutとして出力する。また、ＨＤコンテンツとＳＤコンテンツを同時に送出するサイマル送出を行う場合、ＨＤスイッチャ５４で選択した信号をダウンコンバータ５５に供給して、ＳＤフォーマットの信号に変換してＳＤ送出信号Ｄsoutとして出力する。このように、ＳＤコンテンツ信号をＨＤコンテンツ信号に変換してＨＤスイッチャ５４に供給すれば、１つのフォーマットのコンテンツ信号を送出する場合と同じオペレーションでコンテンツ送出を行うことができる。
【０００５】
しかし、ＳＤコンテンツ信号をＨＤコンテンツ信号に変換するアップコンバータをＳＤコンテンツ毎に設けるものとすると、自動送出システムが高価格となってしまう。また、コンテンツ内容の等しいＳＤコンテンツ信号とＨＤコンテンツ信号を同時に出力するサイマル送出を行う場合、ＳＤコンテンツ信号Ｄsiを送出するためには、ＳＤコンテンツ信号ＤsiをＨＤフォーマットの信号Ｄs-hに変換するだけでなく、信号Ｄs-hをＳＤコンテンツ信号に戻す処理を行わなければＳＤ送出信号Ｄsoutを得ることができない。このように変換処理を繰り返してＳＤ送出信号Ｄsoutを生成する場合、ＳＤ送出信号Ｄsoutに基づく画像は、ＳＤコンテンツ信号Ｄsiをスイッチャで選択して出力する場合に比べて画質が劣化したものとなってしまう。
【０００６】
さらに、送出するコンテンツ信号の画角によっては、コンテンツ内容を示す画像に欠落を生じたり、コンテンツ内容を示す画像が縮小されて表示されてしまう場合が生ずる。図１１は、送出するコンテンツの画像と、送出された送出信号に基づく画像の関係を示している。なお、図１１では、コンテンツ内容を示す画像の画角が１６：９であるＨＤコンテンツ信号（以下「ＨＤ-16:9コンテンツ信号」という）、コンテンツ内容を示す画像の画角が４：３であるＨＤコンテンツ信号（以下「ＨＤ-4:3コンテンツ信号」という）、コンテンツ内容を示す画像の画角が４：３であるＳＤコンテンツ信号（以下「ＳＤ-4:3コンテンツ信号」という）、コンテンツ内容を示す画像の画角が１６：９であるＳＤコンテンツ信号（以下「ＳＤ-16:9コンテンツ信号」という）の何れかを選択してサイマル送出する場合を示している。
【０００７】
ＳＤ-4:3コンテンツ信号はアップコンバータ５３に供給する。アンプコンバータ５３は、ＳＤフォーマットのコンテンツ信号をＨＤフォーマットのコンテンツ信号に変換する。また、１６：９の画角で画像表示が行われてもコンテンツ内容を示す画像を欠落なく正しく表示できるように、サイドパネル方式の画角変換を行う。このため、ＳＤ-4:3コンテンツ信号は、ＨＤ-4:3コンテンツ信号に変換されてＨＤスイッチャ５４に供給される。
【０００８】
ＳＤ-16:9コンテンツ信号はアップコンバータ５３に供給する。アンプコンバータ５３は、ＳＤフォーマットのコンテンツ信号をＨＤフォーマットのコンテンツ信号に変換する。また、１６：９の画角で画像表示が行われてもコンテンツ内容を示す画像を縮小することなく表示できるように、トップボトムカット方式の画角変換を行う。このため、ＳＤ-16:9コンテンツ信号は、ＨＤ-16:9コンテンツの信号に変換されてＨＤスイッチャ５４に供給される。
【０００９】
ＨＤスイッチャ５４は、送出するコンテンツ信号を選択して出力する。また、ＨＤスイッチャ５４からは、ＨＤコンテンツ信号が出力されるので、コンテンツ内容の等しいＳＤコンテンツ信号を同時の出力する場合には、ＨＤスイッチャ５４から出力されるＨＤコンテンツ信号をダウンコンバータ５５でＳＤコンテンツ信号に変換する。
【００１０】
ここで、ダウンコンバータ５５でレターボックス方式の画角変換を行うものとした場合、スイッチャでＨＤ-16:9コンテンツ信号（ＳＤ-16:9コンテンツ信号をアップコンバートして得られたＨＤ-16:9コンテンツ信号を含む）を選択したときは、コンテンツ内容の欠落を少なくして画像表示を行うことができる。しかし、ＨＤスイッチャ５４で選択されたコンテンツ信号がＨＤ-4:3コンテンツ信号（ＳＤ-4:3コンテンツ信号をアップコンバートして得られたＨＤ-4:3コンテンツ信号を含む）であるときは、コンテンツ内容を示す画像の上下部分に画像の無い領域が設けられるので、コンテンツ内容を示す画像が画枠よりも縮小されてしまうことから、表示領域を有効に利用して画像表示を行うことができない。
【００１１】
また、ダウンコンバータ５５でサイドカット方式の画角変換を行うものとした場合、ＨＤスイッチャ５４で選択されたコンテンツ信号がＨＤ-4:3コンテンツ信号（ＳＤ-4:3コンテンツ信号をアップコンバートして得られたＨＤ-4:3コンテンツ信号を含む）であるときは、コンテンツ内容を示す画像の両サイドに設けられている画像のない領域が削除されるので、表示領域を有効に利用して画像表示を行うことができる。しかし、ＨＤスイッチャ５４で選択されたコンテンツ信号がＨＤ-16:9コンテンツ信号（ＳＤ-16:9コンテンツ信号をアップコンバートして得られたＨＤ-16:9コンテンツ信号を含む）であるときは、画角が４：３となるように、画像の両サイドが切り取られてしまうので、コンテンツ内容を示す画像に欠落を生じてしまい、コンテンツ内容を正しく表示することができなくなってしまう。
【００１２】
そこで、この発明では、フォーマットやコンテンツ内容を示す画像の画角が異なるコンテンツ信号を用いても、画質の劣化が少なく、表示領域を有効に利用してコンテンツ内容を正しく表示できるようにコンテンツ送出を自動的に行うことができる自動送出システムを提供するものである。
【課題を解決するための手段】
【００１３】
この発明に係る自動送出システムは、コンテンツ信号の信号切替を該コンテンツ信号のフォーマット毎に行う信号切替手段と、前記信号切替手段に対してコンテンツ信号を供給する信号供給手段と、前記信号切替手段から出力されるコンテンツ信号を異なるフォーマットに変換して、前記信号切替手段に供給する信号変換手段と、前記信号供給手段の信号供給動作と前記信号切替手段の信号切替動作を制御して、コンテンツ送出予定に基づき前記信号切替手段からコンテンツ信号の送出を行う制御手段とを有するものである。
【００１４】
この発明においては、第１のフォーマットのコンテンツ信号を信号切替手段で選択して送出するとき、この送出するコンテンツ信号を信号変換手段で第１のフォーマットとは異なる第２のフォーマットの信号に変換して信号切替手段に供給し、信号切替手段から第２のフォーマットの信号を送出させることで、内容の等しいコンテンツが異なるフォーマットでサイマル送出される。また、信号変換手段では画角変換が行われて、第１のフォーマットのコンテンツ信号を信号切替手段で選択して送出するとき、この送出されるコンテンツ信号のコンテンツ内容を示す画像の画角に応じた画角変換が信号変換手段で行われて、画角変換後の信号が信号切替手段から送出される。また、送出するコンテンツ信号の切替時に、信号切替手段で信号変換手段から供給される信号を新たに選択して送出する場合、この選択する信号が切替時に信号切替手段に供給されているように、切替後に送出するコンテンツ信号が切替前に予め信号供給手段から信号切替手段を介して信号変換手段に供給される。
【発明の効果】
【００１５】
この発明によれば、コンテンツ信号の信号切替を該コンテンツ信号のフォーマット毎に行う信号切替手段と、信号切替手段に対してコンテンツ信号を供給する信号供給手段と、信号切替手段から出力されるコンテンツ信号を異なるフォーマットに変換して、信号切替手段に供給する信号変換手段と、信号供給手段の信号供給動作と信号切替手段の信号切替動作を制御して、コンテンツ送出予定に基づき信号切替手段からコンテンツ信号の送出を行う制御手段が設けられているので、所望のコンテンツ信号を異なるフォーマットに変換して自動的に送出できる。また、信号変換を繰り返すことなく所望のフォーマットでコンテンツ信号を送出することができるので、画質の劣化の少ないコンテンツ送出を行うことができる。
【００１６】
また、第１のフォーマットのコンテンツ信号を信号切替手段で選択して送出するとき、この送出するコンテンツ信号を信号変換手段で第１のフォーマットとは異なる第２のフォーマットの信号に変換して信号切替手段に供給して、この信号切替手段から送出されるので、内容の等しいコンテンツを異なるフォーマットで同時に送出できる。
【００１７】
また、信号変換手段では画角変換が行われて、第１のフォーマットのコンテンツ信号を信号切替手段で選択して送出するとき、この送出されるコンテンツ信号のコンテンツ内容を示す画像の画角に応じた画角変換が信号変換手段で行われて、画角変換後の信号が信号切替手段から送出される。このため、コンテンツ内容を示す画像の画角が異なる場合であっても、コンテンツ内容を示す画像が画枠よりも縮小して表示されたり、コンテンツ内容を示す画像に欠落を生じて表示されてしまうことがなく、表示領域を有効に利用してコンテンツ内容を正しく表示可能なコンテンツ送出を行うことができる。
【００１８】
さらに、送出するコンテンツ信号の切替時に、信号切替手段で信号変換手段から供給される信号を新たに選択して送出する場合、この選択する信号が切替時に信号切替手段に供給されているように、切替後に送出するコンテンツ信号が切替前に予め信号供給手段から信号切替手段を介して信号変換手段に供給される。このため、コンテンツ信号の切替時に切替ショックが発生してしまうことを防止できる。
【発明を実施するための最良の形態】
【００１９】
以下、図を参照しながら、この発明の実施の形態について説明する。なお、説明を容易とするため、２つのフォーマット、例えばＳＤフォーマットのコンテンツ信号とＨＤフォーマットのコンテンツ信号の送出を行う場合を以下に示す。
【００２０】
図１は、自動送出システムの要部構成を示している。自動送出システム１０ａは、信号供給手段であるＳＤコンテンツ供給部１１とＨＤコンテンツ供給部１２、信号変換手段であるアップコンバータ１４とダウンコンバータ１６、信号切替手段であるＳＤスイッチャ１３とＨＤスイッチャ１５および制御手段である制御部２０ａを有している。なお、図１ではＨＤコンテンツとＳＤコンテンツを同時にそれぞれ１チャネルでサイマル送出する場合を示している。
【００２１】
ＳＤコンテンツ供給部１１は、サーバやビデオテープレコーダ等で構成されており、制御部２０ａから供給された制御信号ＣＴａに基づき、蓄積されているＳＤコンテンツ信号の読み出しや記録されているＳＤコンテンツ信号の再生を行い、ＳＤコンテンツ信号ＤsiをＳＤスイッチャ１３に供給する。なお、ＳＤコンテンツ信号Ｄsiは、コンテンツ内容を示す画像の画角が１６：９であるＳＤコンテンツ信号Ｄsi(SD-16:9)と、コンテンツ内容を示す画像の画角が４：３であるＳＤコンテンツ信号Ｄsi(SD-4:3)を用いるものとして以下の説明を行う。
【００２２】
ＨＤコンテンツ供給部１２もＳＤコンテンツ供給部１１と同様に構成されており、制御部２０ａからの制御信号ＣＴａに基づき、蓄積しているＨＤコンテンツ信号の読み出しや記録されているＨＤコンテンツ信号の再生を行い、ＨＤコンテンツ信号ＤhiをＨＤスイッチャ１５に供給する。なお、ＨＤコンテンツ信号Ｄhiは、コンテンツ内容を示す画像の画角が１６：９であるＨＤコンテンツ信号Ｄhi(HD-16:9)と、コンテンツ内容を示す画像の画角が４：３であるＨＤコンテンツ信号Ｄhi(HD-4:3)を用いるものとして以下の説明を行う。
【００２３】
ＳＤスイッチャ１３は、制御部２０ａから供給された制御信号ＣＴａに基づき、送出するＳＤコンテンツ信号の選択を行う。すなわち、ＳＤコンテンツ供給部１１から供給されたＳＤコンテンツ信号Ｄsiやダウンコンバータ１６から供給された信号Ｄh-sの選択を制御信号ＣＴａに基づいて行い、選択した信号をＳＤ送出信号Ｄsoutとして出力する。
【００２４】
アップコンバータ１４は、ＳＤスイッチャ１３から出力されたＳＤ送出信号ＤsoutをＨＤフォーマットの信号に変換する。また、アップコンバータ１４は画角変換、例えば画像の両サイドに黒色等の領域を設けるサイドパネル方式の画角変換（以下「サイドパネル処理」という）や、画像の上下部分を切り取るトップボトムカット方式の画角変換（以下「トップボトムカット処理」という）を行う。このアップコンバータ１４で変換処理を行うことにより得られた信号Ｄs-hは、ＨＤスイッチャ１５に供給される。
【００２５】
ＨＤスイッチャ１５は、制御部２０ａから供給された制御信号ＣＴａに基づき、送出するＨＤコンテンツ信号の選択を行う。すなわち、ＨＤコンテンツ供給部１２から供給されたＨＤコンテンツ信号Ｄhiやアップコンバータ１４から供給された信号Ｄs-hの選択を制御信号ＣＴａに基づいて行い、選択した信号をＨＤ送出信号Ｄhoutとして出力する。
【００２６】
ダウンコンバータ１６は、ＨＤスイッチャ１５から出力されたＨＤ送出信号ＤhoutをＳＤフォーマットの信号に変換する。また、ダウンコンバータ１６は画角変換、例えば画像の両サイドを切り取るサイドカット方式の画角変換（以下「サイドカット処理」という）や、画像の上下部分に黒色等の領域を設けるレターボックス方式の画角変換（以下「レターボックス処理」という）も行う。
【００２７】
制御部２０ａは、ＣＰＵ(Central Processing Unit)２０１、ＲＯＭ(Read Only Memory)２０２、ＲＡＭ(Random Access Memory)２０３、記録再生装置２０４、ハードディスクドライブ２０５、ディスプレイ２０６、インタフェース２０７等がバス２０８に接続されて構成されている。なお、制御部２０ａは、図中に記載されていないや不揮発性メモリ等を用いて構成することもできる。
【００２８】
ＣＰＵ２０１は、ＲＯＭ２０２や記録再生装置２０４，ハードディスクドライブ２０５等に記憶されているプログラムを読み出して実行し、送出可能なコンテンツに関する情報をディスプレイ２０６に表示する。また、オペレータ操作に応じてコンテンツの送出制御情報を生成して、生成した送出制御情報をＲＡＭ２０３やハードディスクドライブ２０５等に記憶させる。
【００２９】
図２は制御部２０ａで生成した送出制御情報を示している。送出制御情報は、送出開始予定時刻、送出開始予定時刻に送出するコンテンツのタイトル、コンテンツの蓄積位置や記録位置等を示す格納情報、コンテンツのフォーマットや画角を示す識別情報等、コンテンツの開始位置情報等を有している。なお、送出制御情報は、これらの情報に限られるものではなくその他の情報を含めるものとしても良い。
【００３０】
制御部２０ａは、送出制御情報に従って、該当するコンテンツの送出準備や送出処理を自動的に行う。すなわち、送出制御情報に従って制御信号ＣＴａを生成してＳＤコンテンツ供給部１１やＨＤコンテンツ供給部１２に供給し、送出開始予定時刻の早い順に、該当するコンテンツ信号の頭出しを行い、送出開始予定時刻にコンテンツ信号の送出を可能とする。次に、制御部２０ａは、時刻が送出開始予定時刻となるとき、制御信号ＣＴａによってＳＤコンテンツ供給部１１やＨＤコンテンツ供給部１２の動作を制御して、この送出開始予定時刻に送出されるコンテンツ信号をＳＤコンテンツ供給部１１からＳＤスイッチャ１３、あるいはＨＤコンテンツ供給部１２からＨＤスイッチャ１５に供給させる。さらに、制御部２０ａは、制御信号ＣＴａによってＳＤスイッチャ１３やＨＤスイッチャ１５の動作を制御して、送出開始予定時刻に送出されるコンテンツ信号をＳＤスイッチャ１３やＨＤスイッチャ１５で選択させることで、送出制御情報で示されたコンテンツ送出予定に基づいてコンテンツ信号を自動的に送出することができる。
【００３１】
次に、自動送出システム１０ａの動作について図３を用いて説明する。送出するコンテンツがＨＤ-16:9コンテンツやＨＤ-4:3コンテンツであるとき、制御部２０ａは、ＨＤコンテンツ供給部１２からＨＤスイッチャ１５に供給されている所望のＨＤコンテンツ信号を選択してＨＤ送出信号Ｄhoutとして出力する。このように、ＨＤコンテンツ信号をＨＤ送出信号Ｄhoutとして出力することから、コンテンツ内容を示す画像に欠落を生じたり、コンテンツ内容を示す画像が画枠よりも縮小されてしまうことなくＨＤコンテンツを正しく表示できる。また、所望のＨＤコンテンツ信号をダウンコンバータ１６でフォーマット変換してＳＤスイッチャ１３からＳＤ送出信号Ｄsoutとして出力することで、サイマル送出を行うことができる。
【００３２】
出力するコンテンツがＳＤ-4:3コンテンツやＳＤ-16:9コンテンツであるとき、制御部２０ａは、ＳＤコンテンツ供給部１１からＳＤスイッチャ１３に供給されている所望のＳＤコンテンツ信号を選択してＳＤ送出信号Ｄsoutとして出力する。このため、コンテンツ内容を示す画像に欠落を生じたりコンテンツ内容を示す画像が画枠よりも縮小されてしまうことなく、ＳＤ送出信号Ｄsoutに基づきＳＤコンテンツの画像を正しく表示できる。また、従来の自動送出システムのように、ＳＤコンテンツ信号をＨＤフォーマットの信号に変換して、その後ＳＤフォーマットの信号に戻す処理を行う必要がないことから、画質の劣化のないＳＤ送出信号Ｄsoutを出力できる。また、所望のＳＤコンテンツ信号をアップコンバータ１４でフォーマット変換してＨＤスイッチャ１６からＨＤ送出信号Ｄhoutとして出力することで、サイマル送出を行うことができる。
【００３３】
このように、一方の送出信号はコンテンツ供給部から供給された信号を用い、他の送出信号はコンテンツ供給部から供給された信号をコンバータで処理した信号を用いてサイマル送出を行えば、信号変換が繰り返された信号を用いることがなく、画質の劣化の少ないコンテンツ送出を行うことができる。
【００３４】
ところで、図１に示す自動送出システム１０ａにおいて、ダウンコンバータ１６でサイドカット処理を行うものとした場合、ＨＤ-16:9コンテンツの送出を行うと、ＳＤ送出信号Ｄsoutに基づく画像は、コンテンツ画像のサイド部分が切り取られてしまい、コンテンツ内容を示す画像に欠落を生じてしまう。また、ダウンコンバータ１６でレターボックス処理を行うものとした場合、ＨＤ-4:3コンテンツの送出を行うと、ＳＤ送出信号Ｄsoutに基づく画像は、コンテンツ画像の上下に黒色等の領域が設けられて、コンテンツ内容を示す画像が画枠よりも縮小して表示されてしまう。
【００３５】
アップコンバータ１４でサイドパネル処理を行うものとした場合、ＳＤ-16:9コンテンツの送出を行うと、ＨＤ送出信号Ｄhoutに基づく画像は、コンテンツ画像のサイド部分に黒色等の領域が設けられて、コンテンツ内容を示す画像が画枠よりも縮小して表示されてしまう。また、アップコンバータ１４でトップボトムカット処理を行うものとした場合、ＳＤ-4:3コンテンツの送出を行うと、ＨＤ送出信号Ｄhoutに基づく画像は、コンテンツ画像の上下が切り取られてしまい、コンテンツ内容を示す画像に欠落を生じてしまう。
【００３６】
そこで、サイドパネル処理を行うアップコンバータとトップボトムカット処理を行うアップコンバータ、およびサイドカット処理を行うダウンコンバータとレターボックス処理を行うダウンコンバータを設け、送出するコンテンツの画角に応じた画角変換が行われた信号をスイッチャで選択することで、コンテンツ内容を示す画像に欠落を生じたり、コンテンツ内容を示す画像が画枠よりも縮小して表示されてしまうことを防止する。
【００３７】
図４は、他の自動送出システム１０ｂの要部構成を示しており、コンテンツ内容を示す画像に欠落を生じたり、コンテンツ内容を示す画像が画枠よりも縮小して表示されてしまうことを防止できるものである。なお、図４において、図１と対応する部分については同一符号を付し、その詳細な説明は省略する。また、制御部２０ｂは、制御部２０ａと同様に構成されており、ＳＤスイッチャ１３やＨＤスイッチャの制御動作が制御部２０ａと異なるものである。
【００３８】
図４において、ＳＤスイッチャ１３は、制御部２０ｂから供給された制御信号ＣＴｂに基づき、送出するＳＤコンテンツ信号の選択を行う。すなわち、ＳＤコンテンツ供給部１１から供給されたＳＤコンテンツ信号Ｄsiや後述するダウンコンバータ１６scから供給された信号Ｄh-ssc，ダウンコンバータ１６ltから供給された信号Ｄh-sltの選択を制御信号ＣＴｂに基づいて行い、選択した信号をＳＤ送出信号Ｄsoutとして出力する。
【００３９】
アップコンバータ１４spは、ＳＤスイッチャ１３から出力されたＳＤ送出信号ＤsoutをＨＤフォーマットの信号に変換する処理とサイドパネル処理を行い、処理後の信号Ｄs-hspをＨＤスイッチャ１５に供給する。アップコンバータ１４tbは、ＳＤスイッチャ１３から出力されたＳＤ送出信号ＤsoutをＨＤフォーマットの信号に変換する処理とトップボトムカット処理を行い、処理後の信号Ｄs-htbをＨＤスイッチャ１５に供給する。
【００４０】
ＨＤスイッチャ１５は、制御部２０ｂから供給された制御信号ＣＴｂに基づき、送出するＨＤコンテンツ信号の選択を行う。すなわち、ＨＤコンテンツ供給部１２から供給されたＨＤコンテンツ信号Ｄhiやアップコンバータ１４spから供給された信号Ｄs-hspおよびアップコンバータ１４tbから供給された信号Ｄs-htbの選択を制御信号ＣＴｂに基づいて行い、選択した信号をＨＤ送出信号Ｄhoutとして出力する。
【００４１】
ダウンコンバータ１６scは、ＨＤスイッチャ１５から出力されたＨＤ送出信号ＤhoutをＳＤフォーマットの信号に変換する処理とサイドカット処理を行い、処理後の信号Ｄh-sscをＳＤスイッチャ１３に供給する。ダウンコンバータ１６ltは、ＨＤスイッチャ１５から出力されたＨＤ送出信号ＤhoutをＳＤフォーマットの信号に変換する処理とレターボックス処理を行い、処理後の信号Ｄh-sltをＳＤスイッチャ１３に供給する。
【００４２】
ここで、制御部２０ｂは、コンテンツの識別情報に基づいて、アップコンバータ１４spあるいはアップコンバータ１４tbの選択、およびダウンコンバータ１６scあるいはダウンコンバータ１６ltの選択を行い、コンテンツ内容を示す画像の欠落を生じたり、コンテンツ内容を示す画像が画枠よりも縮小されてしまうことがないようにＳＤスイッチャ１３とＨＤスイッチャ１５を制御してコンテンツの送出を行わせる。
【００４３】
次に、自動送出システム１０ｂの動作について図５を用いて説明する。送出するコンテンツがＨＤ-16:9コンテンツやＨＤ-4:3コンテンツであるとき、制御部２０ｂは、ＨＤコンテンツ供給部１２からＨＤスイッチャ１５に供給されている所望のＨＤコンテンツ信号Ｄhiを選択してＨＤ送出信号Ｄhoutとして出力する。このように、ＨＤコンテンツ信号ＤhiをＨＤ送出信号Ｄhoutとして出力することから、画質の劣化やコンテンツ内容を示す画像に欠落を生じたり、コンテンツ内容を示す画像が画枠よりも縮小されることなくＨＤコンテンツの画像を正しく表示できる。
【００４４】
また、制御部２０ｂは、送出するコンテンツがＨＤ-16:9コンテンツであるかＨＤ-4:3コンテンツであるかに応じて、ＳＤスイッチャ１３の動作を切り替える。すなわち、送出するコンテンツがＨＤ-16:9コンテンツであるとき、ダウンコンバータ１６scから供給された信号Ｄh-sscをＳＤスイッチャ１３で選択してＳＤ送出信号Ｄsoutとして出力すると、ＳＤ送出信号Ｄsoutに基づく画像は、コンテンツ画像のサイド部分がカットされてしまい、コンテンツ内容を示す画像に欠落を生じてしまう。このため、制御部２０ｂは、送出するコンテンツがＨＤ-16:9コンテンツであるとき、ダウンコンバータ１６ltから供給された信号Ｄh-sltをＳＤスイッチャ１３で選択してＳＤ送出信号Ｄsoutとして出力する。このとき、ＳＤ送出信号Ｄsoutに基づく画像は、コンテンツ内容を示す画像に欠落を生じていないＨＤ-16:9コンテンツの画像となる。
【００４５】
送出するコンテンツがＨＤ-4:3コンテンツであるとき、ダウンコンバータ１６ltから供給された信号Ｄh-sltをＳＤスイッチャ１３で選択してＳＤ送出信号Ｄsoutとして出力すると、ＳＤ送出信号Ｄsoutに基づく画像は、画枠よりも縮小された画像となってしまう。このため、制御部２０ｂは、送出するコンテンツがＨＤ-4:3コンテンツであるとき、ダウンコンバータ１６scから供給された信号Ｄh-sscをＳＤスイッチャ１３で選択してＳＤ送出信号Ｄsoutとして出力する。このとき、ＳＤ送出信号Ｄsoutに基づく画像は、画枠よりも縮小されることのないＨＤ-4:3コンテンツの画像となる。
【００４６】
出力するコンテンツがＳＤ-4:3コンテンツやＳＤ-16:9コンテンツであるとき、制御部２０ｂは、ＳＤコンテンツ供給部１１からＳＤスイッチャ１３に供給されている所望のＳＤコンテンツ信号Ｄsiを選択してＳＤ送出信号Ｄsoutとして出力する。このように、ＳＤコンテンツ信号ＤsiをＳＤ送出信号Ｄsoutとして出力することから、画質の劣化やコンテンツ内容を示す画像に欠落を生じたり、コンテンツ内容を示す画像が画枠よりも縮小されてしまうことなくＳＤコンテンツの画像を正しく表示できる。さらに、ＳＤコンテンツ信号をＨＤフォーマットの信号に変換して、その後ＳＤフォーマットの信号に戻す処理を行う必要がないことから、画質の劣化のないＳＤ送出信号を出力できる。
【００４７】
また、制御部２０ｂは、送出するコンテンツがＳＤ-16:9コンテンツであるかＳＤ-4:3コンテンツであるかに応じて、ＨＤスイッチャ１５の動作を切り替える。すなわち、送出するコンテンツがＳＤ-4:3コンテンツであるとき、アップコンバータ１４tbから供給された信号Ｄs-htbをＨＤスイッチャ１５で選択してＨＤ送出信号Ｄhoutとして出力すると、ＨＤ送出信号Ｄhoutに基づく画像は、コンテンツ画像の上下部分がカットされてしまい、コンテンツ内容を示す画像に欠落を生じてしまう。このため、制御部２０ｂは、送出するコンテンツがＳＤ-4:3コンテンツであるとき、アップコンバータ１４spから供給された信号Ｄs-hspをＨＤスイッチャ１５で選択してＨＤ送出信号Ｄhoutとして出力する。このとき、ＨＤ送出信号Ｄhoutに基づく画像は、コンテンツ内容を示す画像に欠落を生じていないＳＤ-4:3コンテンツの画像となる。
【００４８】
送出するコンテンツがＳＤ-16:9コンテンツであるとき、アップコンバータ１４spから供給された信号Ｄs-hspをＨＤスイッチャ１５で選択してＨＤ送出信号Ｄhoutとして出力すると、ＨＤ送出信号Ｄhoutに基づく画像は、画枠よりも縮小された画像となってしまう。このため、制御部２０ｂは、送出するコンテンツがＳＤ-16:9コンテンツであるとき、アップコンバータ１４tbから供給された信号Ｄs-htbをＨＤスイッチャ１５で選択してＨＤ送出信号Ｄhoutとして出力する。このとき、ＨＤ送出信号Ｄhoutに基づく画像は、画枠よりも縮小されていない状態のＳＤ-16:9コンテンツの画像となる。
【００４９】
このように、ＳＤフォーマットのコンテンツ信号をＳＤスイッチャで選択して送出するときには、この送出されるコンテンツ信号のコンテンツ内容を示す画像の画角に応じた画角変換がアップコンバータで行われた信号をＨＤスイッチャで選択して送出する。また、ＨＤフォーマットのコンテンツ信号をＨＤスイッチャで選択して送出するときには、この送出されるコンテンツ信号のコンテンツ内容を示す画像の画角に応じた画角変換がダウンコンバータで行われた信号をＳＤスイッチャで選択して送出する。このため、コンテンツ内容を示す画像に欠落を生じたり、コンテンツ内容を示す画像が画枠よりも縮小して表示されてしまうことなくコンテンツ送出を行うことができる。
【００５０】
ところで、上述のように、送出信号をコンバータに供給してフォーマット変換や画角変換を行い、コンバータから出力された信号を送出信号として用いることでサイマル送出を行う場合、フォーマット変換や画角変換に時間を要してしまうと、スイッチャでコンテンツの切り替えを行ったとき、切替ショックを生じてしまう。例えばＨＤコンテンツをサイマル送出する場合、ＨＤスイッチャ１５で選択したＨＤ送出信号Ｄhoutがダウンコンバータ１６に供給される。ここで、ダウンコンバータ１６にＨＤ送出信号Ｄhoutが供給されてから、変換後の信号Ｄh-s(Ｄh-ssc，Ｄh-slt)が出力されるまでに時間を要すると、ＳＤスイッチャ１３の切替動作をＨＤスイッチャ１５の切替動作と同期して行ったとき、ＳＤスイッチャ１３では、変換後の信号Ｄh-s(Ｄh-ssc，Ｄh-slt)が供給される前に切替動作が行われて切替ショックを生じてしまう。
【００５１】
そこで、制御部は、切替後に送出されるコンテンツ信号を切替タイミングよりも前に予めアップコンバータやダウンコンバータに供給しておき、切替タイミングの時点でスイッチャに対して変換後の信号が供給されている状態として切替ショックを防止する。
【００５２】
例えば、数フレーム分前や数秒前にアップコンバータやダウンコンバータに対して切替後に送出されるコンテンツ信号を供給しておく。すなわち、切替後に送出されるコンテンツの読み出しや再生を、送出制御情報に基づく切替タイミングからｍフレーム分前の位置からｍフレーム分前に行う。この場合、切替タイミングよりも前にアップコンバータやダウンコンバータにコンテンツの信号が供給されているので、送出制御情報に基づく切替タイミングでコンテンツの切り替えを行ったとき、切替ショックの発生を防止できる。また、送出制御情報に基づく切替タイミングでコンテンツ切り替えを行ったとき、切替後のコンテンツを、所望の位置から送出できる。
【００５３】
図６は、切替ショックの発生を防止できる自動送出システム１０ｃの構成を示している。なお、図６は、アップコンバータとダウンコンバータをそれぞれ１つ設けた場合であり、図１と対応する部分については同一符号を付し、詳細な説明は省略する。また、制御部２０ｃは、制御部２０ａと同様に構成されており、コンテンツ供給部やスイッチャの制御動作が制御部２０ａと異なるものである。
【００５４】
ＳＤスイッチャ１３ｃは、ＳＤ送出信号Ｄsoutを出力する送出ポートＰＯsと、アップコンバータ１４での変換処理に用いる信号Ｄsuを出力するＨＤ変換用出力ポートＰＯsuを有している。ＳＤスイッチャ１３ｃは、制御部２０ｃから供給された制御信号ＣＴｃに基づき、送出ポートＰＯsから出力するＳＤ送出信号ＤsoutとＨＤ変換用出力ポートＰＯsuから出力する信号Ｄsuを独立して切り替える。例えば、ＳＤスイッチャ１３ｃとしてマトリックス形式のスイッチャを用いれば、各ポートから出力する信号を独立して切り替えることができる。
【００５５】
アップコンバータ１４は、ＳＤスイッチャ１３ｃのＨＤ変換用出力ポートＰＯsuから出力された信号ＤsuをＨＤフォーマットの信号に変換する処理と画角変換処理を行い、処理後の信号Ｄsu-hをＨＤスイッチャ１５ｃに供給する。
【００５６】
ＨＤスイッチャ１５ｃは、ＨＤ送出信号Ｄhoutを出力する送出ポートＰＯhと、ダウンコンバータ１６での変換処理に用いる信号Ｄhdを出力するＨＤ変換用出力ポートＰＯhdを有している。ＨＤスイッチャ１５ｃは、制御部２０ｃから供給された制御信号ＣＴｃに基づき、送出ポートＰＯhから出力するＨＤ送出信号ＤhoutとＳＤ変換用出力ポートＰＯhdから出力する信号Ｄhdを独立して切り替える。例えば、ＨＤスイッチャ１５ｃとしてマトリックス形式のスイッチャを用いれば、各ポートから出力する信号を独立して切り替えることができる。
【００５７】
ダウンコンバータ１６は、ＨＤスイッチャ１５ｃのＳＤ変換用出力ポートＰＯhdから出力された信号ＤhdをＳＤフォーマットの信号に変換する処理と画角変換処理を行い、処理後の信号Ｄhd-sをＳＤスイッチャ１３ｃに供給する。
【００５８】
図７は、切替ショックの発生を防止できる自動送出システムの制御動作を説明するための図である。送出するコンテンツをＨＤコンテンツから他のＨＤコンテンツに切り替える場合、ＳＤスイッチャ１３ｃは、送出するコンテンツの切り替え前に、ダウンコンバータ１６から供給されている信号Ｄhd-sを選択して送出ポートＰＯsからＳＤ送出信号Ｄsoutとして出力している。このため、コンテンツの切り替え時にＳＤスイッチャ１３ｃでダウンコンバータ１６から供給される信号を新たに選択する切替動作が不要であり、切替ショックを生ずることがない。従って、制御部２０ｃは、送出制御情報に基づく切替タイミングで、ＨＤスイッチャ１５ｃの送出ポートＰＯhとＳＤ変換用出力ポートＰＯhdから出力される信号の切り替えを行う。なお、図７および後述する図９では、送出制御情報に基づく切替タイミングで切り替えを行う場合「ＪＵＳＴ」、送出制御情報に基づく切替タイミングよりも早いタイミングで切り替えを行う場合「ＦＡＳＴ」として示している。
【００５９】
送出するコンテンツをＨＤコンテンツからＳＤコンテンツに切り替える場合、ＨＤスイッチャ１５ｃは、ＨＤコンテンツの信号に代えて、アップコンバータ１４から供給される信号Ｄsu-hを選択する必要がある。ここで、アップコンバータ１４からの信号Ｄsu-hの供給が送出制御情報に基づく切替タイミングよりも遅れると、ＨＤスイッチャ１５ｃで切替動作を行ったとき切替ショックを生じてしまう。このため、制御部２０ｃは、新たに送出するＳＤコンテンツ信号Ｄsiを送出制御情報に基づく切替タイミングよりも早いタイミングで、ＳＤコンテンツ供給部１１からＳＤスイッチャ１３ｃに供給して、ＳＤスイッチャ１３ｃのＨＤ変換用出力ポートＰＯsuからアップコンバータ１４に供給させる。すなわち、切替タイミングとなったとき、アップコンバータ１４からＨＤスイッチャ１５ｃに対して変換後の信号Ｄsu-hが供給されている状態とする。このように、新たに送出するＳＤコンテンツ信号Ｄsiを切替タイミングよりも早くアップコンバータ１４に供給して、変換後の信号Ｄsu-hをＨＤスイッチャ１５ｃに供給しておけば、送出制御情報に基づく切替タイミングでＨＤコンテンツ信号Ｄhiをアップコンバータ１４からの信号Ｄsu-hに切り替えても、切替ショックを生ずることない。また、切替ショックを生ずることがないことから、ＳＤスイッチャ１３ｃの送出ポートＰＯsから出力するＳＤ送出信号ＤsoutとＨＤスイッチャ１５ｃの送出ポートＰＯhから出力するＨＤ送出信号Ｄhoutは、送出制御情報に基づく切替タイミングで切り替えを行う。
【００６０】
次に、送出するコンテンツをＳＤコンテンツからＨＤコンテンツに切り替える場合、ＳＤスイッチャ１３ｃは、ＳＤコンテンツの信号に代えて、ダウンコンバータ１６から供給される信号Ｄhd-sを選択する必要がある。ここで、ダウンコンバータ１６からの信号Ｄhd-sの供給が送出制御情報に基づく切替タイミングよりも遅れると、ＳＤスイッチャ１３ｃで切替動作を行ったとき切替ショックを生じてしまう。このため、制御部２０ｃは、新たに送出するＨＤコンテンツ信号Ｄhiを送出制御情報に基づく切替タイミングよりも早いタイミングで、ＨＤコンテンツ供給部１２からＨＤスイッチャ１５ｃに供給して、ＨＤスイッチャ１５ｃのＳＤ変換用出力ポートＰＯhdからダウンコンバータ１６に供給させる。すなわち、切替タイミングとなったとき、ダウンコンバータ１６からＳＤスイッチャ１３ｃに対して変換後の信号Ｄhd-sが供給されている状態とする。このように、新たに送出するＨＤコンテンツ信号Ｄhiを切替タイミングよりも早くダウンコンバータ１６に供給して、変換後の信号Ｄhd-sをＳＤスイッチャ１３ｃに供給しておけば、送出制御情報に基づく切替タイミングでＳＤコンテンツ信号Ｄsiをダウンコンバータ１６からの信号Ｄhd-sに切り替えても、切替ショックを生ずることない。また、切替ショックを生ずることがないことから、ＳＤスイッチャ１３ｃの送出ポートＰＯsから出力するＳＤ送出信号ＤsoutとＨＤスイッチャ１５ｃの送出ポートＰＯhから出力するＨＤ送出信号Ｄhoutは、送出制御情報に基づく切替タイミングで切り替えを行う。
【００６１】
送出するコンテンツをＳＤコンテンツから他のＳＤコンテンツに切り替える場合、ＨＤスイッチャ１５ｃは、送出するコンテンツの切り替え前に、アップコンバータ１４から供給されている信号Ｄsu-hを選択して送出ポートＰＯhからＨＤ送出信号Ｄhoutとして出力している。このため、コンテンツの切り替え時にＨＤスイッチャ１５ｃでアップコンバータ１４から供給される信号を新たに選択する切替動作が不要であり、切替ショックを生ずることがない。このため、制御部２０ｃは、送出制御情報に基づく切替タイミングで、ＳＤスイッチャ１３ｃの送出ポートＰＯsとＨＤ変換用出力ポートＰＯsuから出力される信号の切り替えを行う。
【００６２】
このように、送出コンテンツの切り替えの際に、コンテンツ供給部から供給されたコンテンツ信号をコンバータから供給された信号に切り替えるときには、予めスイッチャにコンバータから変換処理後の信号を供給しておくことで、切替ショックの発生を確実に防止できる。
【００６３】
また、自動送出システムでは、コンテンツの画角に応じた画角変換処理が行われた信号を送出する場合も同様にして切替ショックの発生を防止できる。
【００６４】
図８は、切替ショックの発生を防止できる他の自動送出システムの要部構成を示しており、この自動送出システムでは、コンテンツ内容を示す画像の画角に応じた画角変換処理が行われた信号を送出するものである。
【００６５】
この自動送出システム１０ｄは、画角変換としてサイドパネル処理を行うアップコンバータ１４spとトップボトムカット処理を行うアップコンバータ１４tb、およびサイドカット処理を行うダウンコンバータ１６scとレターボックス処理を行うダウンコンバータ１６ltを個々に設けて、画質の劣化やコンテンツ内容を示す画像における欠落およびコンテンツ内容を示す画像が画枠よりも縮小されることを防止し、さらに切替ショックも防止する。なお、図８において、図１と対応する部分については同一符号を付し、詳細な説明は省略する。また、制御部２０ｄは、制御部２０ａと同様に構成されており、コンテンツ供給部やスイッチャの制御動作が制御部２０ｄと異なるものである。
【００６６】
ＳＤスイッチャ１３ｄは、ＳＤ送出信号Ｄsoutを出力する送出ポートＰＯsと、アップコンバータ１４spでの変換処理に用いる信号Ｄsuaを出力するＨＤ変換用出力ポートＰＯsuaと、アップコンバータ１４tbでの変換処理に用いる信号Ｄsubを出力するＨＤ変換用出力ポートＰＯsubとを有している。ＳＤスイッチャ１３ｄは、制御部２０ｄから供給された制御信号ＣＴｄに基づき、送出ポートＰＯsから出力するＳＤ送出信号ＤsoutとＨＤ変換用出力ポートＰＯsua，ＰＯsubから出力する信号Ｄsua，Ｄsubを独立して切り替える。
【００６７】
アップコンバータ１４spは、ＳＤスイッチャ１３ｄのＨＤ変換用出力ポートＰＯsaから出力された信号ＤsuaをＨＤフォーマットの信号に変換する処理とサイドパネル処理を行い、処理後の信号Ｄsu-hspをＨＤスイッチャ１５ｄに供給する。アップコンバータ１４tbは、ＳＤスイッチャ１３ｄのＨＤ変換用出力ポートＰＯsubから出力された信号ＤsubをＨＤフォーマットの信号に変換する処理とトップボトムカット処理を行い、処理後の信号Ｄsu-htbをＨＤスイッチャ１５ｄに供給する。
【００６８】
ＨＤスイッチャ１５ｄは、ＨＤ送出信号Ｄhoutを出力する送出ポートＰＯhと、ダウンコンバータ１６scでの変換処理に用いる信号Ｄhdaを出力するＳＤ変換用出力ポートＰＯhaと、ダウンコンバータ１６ltでの変換処理に用いる信号Ｄhdbを出力するＳＤ変換用出力ポートＰＯhbとを有している。ＨＤスイッチャ１５ｄは、制御部２０ｄから供給された制御信号ＣＴｄに基づき、送出ポートＰＯhから出力するＨＤ送出信号ＤhoutとＳＤ変換用出力ポートＰＯha，ＰＯhbから出力する信号Ｄhda，Ｄhdbを独立して切り替える。
【００６９】
ダウンコンバータ１６scは、ＨＤスイッチャ１５ｄのＳＤ変換用出力ポートＰＯhaから出力された信号ＤhdaをＳＤフォーマットの信号に変換する処理とサイドカット処理を行い、処理後の信号Ｄhd-sscをＳＤスイッチャ１３ｄに供給する。ダウンコンバータ１６ltは、ＨＤスイッチャ１５ｄのＳＤ変換用出力ポートＰＯhbから出力された信号ＤhdbをＳＤフォーマットの信号に変換する処理とレターボックス処理を行い、処理後の信号Ｄhd-sltをＳＤスイッチャ１３ｄに供給する。
【００７０】
図９は、切替ショックの発生を防止できる他の自動送出システムの制御動作を説明するための図である。ここで、コンテンツ切替が行われる前のＳＤスイッチャ１３ｄおよびＨＤスイッチャ１５ｄでは、送出中のコンテンツの識別情報に基づいてアップコンバータ１４sp，１４tbやダウンコンバータ１６sc，１６ltから供給された信号の選択を図５に示すように行い、コンテンツ内容を示す画像に欠落を生じたり、コンテンツ内容を示す画像が画枠よりも縮小されてしまうことを防止してコンテンツ信号の送出を行っているものとする。
【００７１】
ＨＤスイッチャ１５ｄの例えば入力ポートＰＩh1に供給されているＨＤ-16:9コンテンツ信号Ｄhi1から、入力ポートＰＩh2に供給されるＨＤ-16:9コンテンツ信号Ｄhi2に切り替える場合（図の「ＣＡＳＥ１」）。
【００７２】
この場合、切替前にはＨＤ-16:9コンテンツの送出を行っているので、ＳＤスイッチャ１３ｄでは、コンテンツ内容を示す画像に欠落を生じることがないように、ダウンコンバータ１６ltから入力ポートＰＩsbに供給されている信号Ｄhd-sltを選択してＳＤ送出信号Ｄsoutとして出力している。また、切替後にもＨＤ-16:9コンテンツの送出を行うことから、ＳＤスイッチャ１３ｄにおける信号切替は不要である。なお、信号切替が不要な場合、図では「ＣＯＮＴ」として示している。また、図における「ＣＯＮＴ」の下の記載は、選択される入力ポートを示している。
【００７３】
このため、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩh1に供給されたＨＤ-16:9コンテンツ信号Ｄhi1から、入力ポートＰＩh2に供給されたＨＤ-16:9コンテンツ信号Ｄhi2に切り替える（図における「ＪＵＳＴ」の下の記載は、選択する入力ポートの切替を示しており、以下も同様である）。また、送出制御情報に基づく切替タイミングでＳＤ変換用出力ポートＰＯhbから出力する信号Ｄhdbを、入力ポートＰＩh1に供給されたＨＤ-16:9コンテンツ信号Ｄhi1から、入力ポートＰＩh2に供給されたＨＤ-16:9コンテンツ信号Ｄhi2に切り替える。
【００７４】
従って、サイマル送出されるコンテンツは、入力ポートＰＩh1に供給されたＨＤ-16:9コンテンツから、入力ポートＰＩh2に供給されたＨＤ-16:9コンテンツに切替タイミングで切り替えられる。また、ＳＤスイッチャ１３ｄで信号切替が行われていないことから、ＳＤ送出信号Ｄsoutに基づく画像に切替ショックが生ずることもない。
【００７５】
ＨＤスイッチャ１５ｄの例えば入力ポートＰＩh1に供給されているＨＤ-16:9コンテンツ信号Ｄhi1から、入力ポートＰＩh4に供給されるＨＤ-4:3コンテンツ信号Ｄhi4に切り替える場合（図の「ＣＡＳＥ２」）。
【００７６】
この場合、切替前にはＨＤ-16:9コンテンツの送出を行っているので、ＳＤスイッチャ１３ｄでは、コンテンツ内容を示す画像に欠落を生じることがないように、ダウンコンバータ１６ltから入力ポートＰＩsbに供給されている信号Ｄhd-sltを選択してＳＤ送出信号Ｄsoutとして出力している。また、切替後は、画角が異なるＨＤ-4:3コンテンツ信号Ｄhi4を選択しなければならない。従って、ＳＤスイッチャ１３ｄでは、画像が縮小されて表示されてしまうことがないように、入力ポートＰＩsbに供給されているダウンコンバータ１６ltからの信号Ｄhd-sltに代えて、入力ポートＰＩsaに供給されているダウンコンバータ１６scからの信号Ｄhd-sscを選択してＳＤ送出信号Ｄsoutとして出力させる必要がある。ここで、ダウンコンバータ１６scからの信号Ｄhd-sscの供給が送出制御情報に基づく切替タイミングよりも遅れると、この切替タイミングで信号切替をＳＤスイッチャ１３ｄで行ったときに切替ショックが生じてしまう。
【００７７】
このため、制御部２０ｄは、送出制御情報に基づく切替タイミング前に、ＨＤコンテンツ供給部１２からＨＤ-4:3コンテンツ信号Ｄhi4をＨＤスイッチャ１５ｄの入力ポートＰＩh4に供給して、この入力ポートＰＩh4に供給されたＨＤ-4:3コンテンツ信号Ｄhi4を、ＳＤ変換用出力ポートＰＯhaから信号Ｄhdaとしてダウンコンバータ１６scに供給させる（図における「ＦＡＳＴ」の下の記載は、切替タイミング前にコンテンツ信号を供給する入力ポートを示しており、以下も同様である）。
【００７８】
その後、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩh1に供給されたＨＤ-16:9コンテンツ信号Ｄhi1から、入力ポートＰＩh4に供給されたＨＤ-4:3コンテンツ信号Ｄhi4に切り替える。また、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩsbに供給されたダウンコンバータ１６ltからの信号Ｄhd-sltから、入力ポートＰＩsaに供給されたダウンコンバータ１６scからの信号Ｄhd-sscに切り替える。
【００７９】
従って、サイマル送出されるコンテンツは、入力ポートＰＩh1に供給されたＨＤ-16:9コンテンツから、入力ポートＰＩh4に供給されたＨＤ-4:3コンテンツに切替タイミングで切り替えられる。また、スイッチャ１３ｄの入力ポートＰＩsaにダウンコンバータ１６scから信号Ｄhd-sscが供給されたのち信号切替が行われるので、ＳＤ送出信号Ｄsoutに基づく画像は、切替ショックを生ずることがなく、画枠よりも縮小されて表示されることもない。
【００８０】
ＨＤスイッチャ１５ｄの例えば入力ポートＰＩh3に供給されているＨＤ-4:3コンテンツ信号Ｄhi3から、入力ポートＰＩh2に供給されるＨＤ-16:9コンテンツ信号Ｄhi2に切り替える場合（図の「ＣＡＳＥ３」）。
【００８１】
この場合、切替前にはＨＤ-4:3コンテンツの送出を行っているので、ＳＤスイッチャ１３ｄでは、画像が画枠よりも縮小されて表示されることがないように、ダウンコンバータ１６scから入力ポートＰＩsaに供給されている信号Ｄhd-sscを選択してＳＤ送出信号Ｄsoutとして出力している。また、切替後は、画角が異なるＨＤ-16:9コンテンツ信号Ｄhi2を選択しなければならない。従って、ＳＤスイッチャ１３ｄでは、画像が欠落して表示されてしまうことがないように、入力ポートＰＩsaに供給されているダウンコンバータ１６scからの信号Ｄhd-sscに代えて、入力ポートＰＩsbに供給されているダウンコンバータ１６ltからの信号Ｄhd-sltを選択してＳＤ送出信号Ｄsoutとして出力させる必要がある。ここで、ダウンコンバータ１６ltからの信号Ｄhd-sltの供給が送出制御情報に基づく切替タイミングよりも遅れると、この切替タイミングで信号切替をＳＤスイッチャ１３ｄで行ったときに切替ショックが生じてしまう。
【００８２】
このため、制御部２０ｄは、送出制御情報に基づく切替タイミング前に、ＨＤコンテンツ供給部１２からＨＤ-16:9コンテンツ信号Ｄhi2をＨＤスイッチャ１５ｄの入力ポートＰＩh2に供給して、この入力ポートＰＩh2に供給されたＨＤ-16:9コンテンツ信号Ｄhi2を、ＳＤ変換用出力ポートＰＯhbから信号Ｄhdbとしてダウンコンバータ１６ltに供給させる。その後、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩh3に供給されたＨＤ-4:3コンテンツ信号Ｄhi3から、入力ポートＰＩh2に供給されたＨＤ-16:9コンテンツ信号Ｄhi2に切り替える。また、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩsaに供給されたダウンコンバータ１６scからの信号Ｄhd-sscから、入力ポートＰＩsbに供給されたダウンコンバータ１６ltからの信号Ｄhd-sltに切り替える。
【００８３】
従って、サイマル送出されるコンテンツは、入力ポートＰＩh3に供給されたＨＤ-4:3コンテンツから、入力ポートＰＩh2に供給されたＨＤ-16:9コンテンツに切替タイミングで切り替えられる。また、スイッチャ１３ｄの入力ポートＰＩsbにダウンコンバータ１６ltから信号Ｄhd-sltが供給されたのち信号切替が行われるので、ＳＤ送出信号Ｄsoutに基づく画像は、切替ショックを生ずることがなく、コンテンツ内容を示す画像に欠落を生じて表示されることもない。
【００８４】
ＨＤスイッチャ１５ｄの例えば入力ポートＰＩh3に供給されているＨＤ-4:3コンテンツ信号Ｄhi3から、入力ポートＰＩh4に供給されるＨＤ-4:3コンテンツ信号Ｄhi4に切り替える場合（図の「ＣＡＳＥ４」）。
【００８５】
この場合、切替前にはＨＤ-4:3コンテンツの送出を行っているので、ＳＤスイッチャ１３ｄでは、コンテンツ内容を示す画像が画枠よりも縮小して表示されることがないように、ダウンコンバータ１６scから入力ポートＰＩsaに供給されている信号Ｄhd-sscを選択してＳＤ送出信号Ｄsoutとして出力している。また、切替後にもＨＤ-4:3コンテンツの送出を行うことから、ＳＤスイッチャ１３ｄにおける信号切替は不要である。
【００８６】
このため、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩh3に供給されたＨＤ-4:3コンテンツ信号Ｄhi3から、入力ポートＰＩh4に供給されたＨＤ-4:3コンテンツ信号Ｄhi4に切り替える。また、送出制御情報に基づく切替タイミングでＳＤ変換用出力ポートＰＯhaから出力する信号Ｄhdaを、入力ポートＰＩh3に供給されたＨＤ-4:3コンテンツ信号Ｄhi3から、入力ポートＰＩh4に供給されたＨＤ-4:3コンテンツ信号Ｄhi4に切り替える。
【００８７】
従って、サイマル送出されるコンテンツは、入力ポートＰＩh3に供給されたＨＤ-4:3コンテンツから、入力ポートＰＩh4に供給されたＨＤ-4:3コンテンツに切替タイミングで切り替えられる。また、ＳＤスイッチャ１３ｄで信号切替が行われていないことから、ＳＤ送出信号Ｄsoutに基づく画像に切替ショックが生ずることもない。
【００８８】
ＨＤスイッチャ１５ｄの例えば入力ポートＰＩh1に供給されているＨＤ-16:9コンテンツ信号Ｄhi1から、ＳＤスイッチャ１３ｄの例えば入力ポートＰＩs2に供給されるＳＤ-16:9コンテンツ信号Ｄsi2に切り替える場合（図の「ＣＡＳＥ５」）。
【００８９】
この場合、切替前にはＨＤ-16:9コンテンツの送出を行っているので、ＨＤスイッチャ１５ｄでは、入力ポートＰＩh1に供給されているＨＤ-16:9コンテンツ信号Ｄhi1を選択してＨＤ送出信号Ｄhoutとして出力している。また切替後は、ＳＤ-16:9コンテンツの送出を行うので、ＨＤスイッチャ１５ｄでは、コンテンツ内容を示す画像が画枠よりも縮小して表示されることがないように、アップコンバータ１４tbから入力ポートＰＩhbに供給されている信号Ｄsu-htbを選択してＨＤ送出信号Ｄhoutとして出力させる必要がある。また、ＳＤスイッチャ１３ｄでは、切替後に入力ポートＰＩs2に供給されているＳＤ-16:9コンテンツ信号Ｄsi2を選択してＳＤ送出信号Ｄsoutとして出力させる必要がある。ここで、アップコンバータ１４tbからの信号Ｄsu-htbの供給が送出制御情報に基づく切替タイミングよりも遅れると、この切替タイミングで信号切替をＨＤスイッチャ１５ｄで行ったときに切替ショックが生じてしまう。
【００９０】
このため、制御部２０ｄは、送出制御情報に基づく切替タイミング前に、ＳＤコンテンツ供給部１１からＳＤ-16:9コンテンツ信号Ｄsi2をＳＤスイッチャ１３ｄの入力ポートＰＩs2に供給して、この入力ポートＰＩs2に供給されたＳＤ-16:9コンテンツ信号Ｄsi2を、ＨＤ変換用出力ポートＰＯsbから信号Ｄsubとしてアップコンバータ１４tbに供給させる。その後、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩh1に供給されたＨＤ-16:9コンテンツ信号Ｄhi1から、入力ポートＰＩhbに供給された信号Ｄsu-htbに切り替える。また、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩsbに供給されたダウンコンバータ１６ltからの信号Ｄhd-sltから、入力ポートＰＩs2に供給されたＳＤ-16:9コンテンツ信号Ｄsi2に切り替える。
【００９１】
従って、サイマル送出されるコンテンツは、入力ポートＰＩh1に供給されたＨＤ-16:9コンテンツから、入力ポートＰＩs2に供給されたＳＤ-16:9コンテンツに切替タイミングで切り替えられる。また、ＨＤスイッチャ１５ｄの入力ポートＰＩhbにアップコンバータ１４tbから信号Ｄsu-htbが供給されたのち信号切替が行われるので、ＨＤ送出信号Ｄhoutに基づく画像は、切替ショックを生ずることがなく、コンテンツ内容を示す画像が画枠よりも縮小して表示されることもない。
【００９２】
ＨＤスイッチャ１５ｄの例えば入力ポートＰＩh1に供給されているＨＤ-16:9コンテンツ信号Ｄhi1から、ＳＤスイッチャ１３ｄの例えば入力ポートＰＩs4に供給されるＳＤ-4:3コンテンツ信号Ｄsi4に切り替える場合（図の「ＣＡＳＥ６」）。
【００９３】
この場合、切替前にはＨＤ-16:9コンテンツの送出を行っているので、ＨＤスイッチャ１５ｄでは、入力ポートＰＩh1に供給されているＨＤ-16:9コンテンツ信号Ｄhi1を選択してＨＤ送出信号Ｄhoutとして出力している。また切替後は、ＳＤ-4:3コンテンツの送出を行うので、ＨＤスイッチャ１５ｄでは、コンテンツ内容を示す画像に欠落を生じて表示されることがないように、アップコンバータ１４spから入力ポートＰＩhaに供給されている信号Ｄsu-hspを選択してＨＤ送出信号Ｄhoutとして出力させる必要がある。また、ＳＤスイッチャ１３ｄでは、切替後に入力ポートＰＩs4に供給されているＳＤ-4:3コンテンツ信号Ｄsi4を選択してＳＤ送出信号Ｄsoutとして出力させる必要がある。ここで、アップコンバータ１４spからの信号Ｄsu-hspの供給が送出制御情報に基づく切替タイミングよりも遅れると、この切替タイミングで信号切替をＨＤスイッチャ１５ｄで行ったときに切替ショックが生じてしまう。
【００９４】
このため、制御部２０ｄは、送出制御情報に基づく切替タイミング前に、ＳＤコンテンツ供給部１１からＳＤ-4:3コンテンツ信号Ｄsi4をＳＤスイッチャ１３ｄの入力ポートＰＩs4に供給して、この入力ポートＰＩs4に供給されたＳＤ-4:3コンテンツ信号Ｄsi4を、ＨＤ変換用出力ポートＰＯsaから信号Ｄsuaとしてアップコンバータ１４spに供給させる。その後、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩh1に供給されたＨＤ-16:9コンテンツ信号Ｄhi1から、入力ポートＰＩhaに供給された信号Ｄsu-hspに切り替える。また、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩsbに供給されたダウンコンバータ１６ltからの信号Ｄhd-sltから、入力ポートＰＩs4に供給されたＳＤ-4:3コンテンツ信号Ｄsi4に切り替える。
【００９５】
従って、サイマル送出されるコンテンツは、入力ポートＰＩh1に供給されたＨＤ-16:9コンテンツから、入力ポートＰＩs4に供給されたＳＤ-4:3コンテンツに切替タイミングで切り替えられる。また、ＨＤスイッチャ１５ｄの入力ポートＰＩhaにアップコンバータ１４spから信号Ｄsu-hspが供給されたのち信号切替が行われるので、ＨＤ送出信号Ｄhoutに基づく画像は、切替ショックを生ずることがなく、コンテンツ内容を示す画像に欠落を生じて表示されることもない。
【００９６】
ＨＤスイッチャ１５ｄの例えば入力ポートＰＩh3に供給されているＨＤ-4:3コンテンツ信号Ｄhi3から、ＳＤスイッチャ１３ｄの例えば入力ポートＰＩs2に供給されるＳＤ-16:9コンテンツ信号Ｄsi2に切り替える場合（図の「ＣＡＳＥ７」）。
【００９７】
この場合、切替前にはＨＤ-4:3コンテンツの送出を行っているので、ＨＤスイッチャ１５ｄでは、入力ポートＰＩh3に供給されているＨＤ-4:3コンテンツ信号Ｄhi3を選択してＨＤ送出信号Ｄhoutとして出力している。また切替後は、ＳＤ-16:9コンテンツの送出を行うので、ＨＤスイッチャ１５ｄでは、コンテンツ内容を示す画像が画枠よりも縮小して表示されることがないように、アップコンバータ１４tbから入力ポートＰＩhbに供給されている信号Ｄsu-htbを選択してＨＤ送出信号Ｄhoutとして出力させる必要がある。また、ＳＤスイッチャ１３ｄでは、切替後に入力ポートＰＩs2に供給されているＳＤ-16:9コンテンツ信号Ｄsi2を選択してＳＤ送出信号Ｄsoutとして出力させる必要がある。ここで、アップコンバータ１４tbからの信号Ｄsu-htbの供給が送出制御情報に基づく切替タイミングよりも遅れると、この切替タイミングで信号切替をＨＤスイッチャ１５ｄで行ったときに切替ショックが生じてしまう。
【００９８】
このため、制御部２０ｄは、送出制御情報に基づく切替タイミング前に、ＳＤコンテンツ供給部１１からＳＤ-16:9コンテンツ信号Ｄsi2をＳＤスイッチャ１３ｄの入力ポートＰＩs2に供給して、この入力ポートＰＩs2に供給されたＳＤ-16:9コンテンツ信号Ｄsi2を、ＨＤ変換用出力ポートＰＯsbから信号Ｄsubとしてアップコンバータ１４tbに供給させる。その後、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩh3に供給されたＨＤ-4:3コンテンツ信号Ｄhi3から、入力ポートＰＩhbに供給された信号Ｄsu-htbに切り替える。また、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩsaに供給されたダウンコンバータ１６scからの信号Ｄhd-sscから、入力ポートＰＩs2に供給されたＳＤ-16:9コンテンツ信号Ｄsi2に切り替える。
【００９９】
従って、サイマル送出されるコンテンツは、入力ポートＰＩh3に供給されたＨＤ-4:3コンテンツから、入力ポートＰＩs2に供給されたＳＤ-16:9コンテンツに切替タイミングで切り替えられる。また、ＨＤスイッチャ１５ｄの入力ポートＰＩhbにアップコンバータ１４tbから信号Ｄsu-htbが供給されたのち信号切替が行われるので、ＨＤ送出信号Ｄhoutに基づく画像は、切替ショックを生ずることがなく、コンテンツ内容を示す画像が画枠より縮小して表示されることもない。
【０１００】
ＨＤスイッチャ１５ｄの例えば入力ポートＰＩh3に供給されているＨＤ-4:3コンテンツ信号Ｄhi3から、ＳＤスイッチャ１３ｄの例えば入力ポートＰＩs4に供給されるＳＤ-4:3コンテンツ信号Ｄsi4に切り替える場合（図の「ＣＡＳＥ８」）。
【０１０１】
この場合、切替前にはＨＤ-4:3コンテンツの送出を行っているので、ＨＤスイッチャ１５ｄでは、入力ポートＰＩh3に供給されているＨＤ-4:3コンテンツ信号Ｄhi3を選択してＨＤ送出信号Ｄhoutとして出力している。また切替後は、ＳＤ-4:3コンテンツの送出を行うので、ＨＤスイッチャ１５ｄでは、コンテンツ内容を示す画像に欠落を生じて表示されることがないように、アップコンバータ１４spから入力ポートＰＩhaに供給されている信号Ｄsu-hspを選択してＨＤ送出信号Ｄhoutとして出力させる必要がある。また、ＳＤスイッチャ１３ｄでは、切替後に入力ポートＰＩs4に供給されているＳＤ-4:3コンテンツ信号Ｄsi4を選択してＳＤ送出信号Ｄsoutとして出力させる必要がある。ここで、アップコンバータ１４spからの信号Ｄsu-hspの供給が送出制御情報に基づく切替タイミングよりも遅れると、この切替タイミングで信号切替をＨＤスイッチャ１５ｄで行ったときに切替ショックが生じてしまう。
【０１０２】
このため、制御部２０ｄは、送出制御情報に基づく切替タイミング前に、ＳＤコンテンツ供給部１１からＳＤ-4:3コンテンツ信号Ｄsi4をＳＤスイッチャ１３ｄの入力ポートＰＩs4に供給して、この入力ポートＰＩs4に供給されたＳＤ-4:3コンテンツ信号Ｄsi4を、ＨＤ変換用出力ポートＰＯsaから信号Ｄsuaとしてアップコンバータ１４spに供給させる。その後、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩh3に供給されたＨＤ-4:3コンテンツ信号Ｄhi3から、入力ポートＰＩhaに供給された信号Ｄsu-hspに切り替える。また、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩsaに供給されたダウンコンバータ１６scからの信号Ｄhd-sscから、入力ポートＰＩs4に供給されたＳＤ-4:3コンテンツ信号Ｄsi4に切り替える。
【０１０３】
従って、サイマル送出されるコンテンツは、入力ポートＰＩh3に供給されたＨＤ-4:3コンテンツから、入力ポートＰＩs4に供給されたＳＤ-4:3コンテンツに切替タイミングで切り替えられる。また、ＨＤスイッチャ１５ｄの入力ポートＰＩhaにアップコンバータ１４spから信号Ｄsu-hspが供給されたのち信号切替が行われるので、ＨＤ送出信号Ｄhoutに基づく画像は、切替ショックを生ずることがなく、コンテンツ内容を示す画像に欠落を生じて表示されることもない。
【０１０４】
ＳＤスイッチャ１３ｄの例えば入力ポートＰＩs1に供給されているＳＤ-16:9コンテンツ信号Ｄsi1から、ＨＤスイッチャ１５ｄの例えば入力ポートＰＩh2に供給されるＨＤ-16:9コンテンツ信号Ｄhi2に切り替える場合（図の「ＣＡＳＥ９」）。
【０１０５】
この場合、切替前にはＳＤ-16:9コンテンツの送出を行っているので、ＳＤスイッチャ１５ｄでは、入力ポートＰＩs1に供給されているＳＤ-16:9コンテンツ信号Ｄsi1を選択してＳＤ送出信号Ｄsoutとして出力している。また切替後は、ＨＤ-16:9コンテンツの送出を行うので、ＳＤスイッチャ１３ｄでは、コンテンツ内容を示す画像に欠落を生じて表示されることがないように、ダウンコンバータ１６ltから入力ポートＰＩsbに供給されている信号Ｄhd-sltを選択してＳＤ送出信号Ｄsoutとして出力させる必要がある。また、ＨＤスイッチャ１５ｄでは、切替後に入力ポートＰＩh2に供給されているＨＤ-16:9コンテンツ信号Ｄhi2を選択してＨＤ送出信号Ｄhoutとして出力させる必要がある。ここで、ダウンコンバータ１６ltからの信号Ｄhd-sltの供給が送出制御情報に基づく切替タイミングよりも遅れると、この切替タイミングで信号切替をＳＤスイッチャ１３ｄで行ったときに切替ショックが生じてしまう。
【０１０６】
このため、制御部２０ｄは、送出制御情報に基づく切替タイミング前に、ＨＤコンテンツ供給部１２からＨＤ-16:9コンテンツ信号Ｄhi2をＨＤスイッチャ１５ｄの入力ポートＰＩh2に供給して、この入力ポートＰＩh2に供給されたＨＤ-16:9コンテンツ信号Ｄhi2を、ＳＤ変換用出力ポートＰＯhbから信号Ｄhdbとしてダウンコンバータ１６ltに供給させる。その後、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩs1に供給されたＳＤ-16:9コンテンツ信号Ｄsi1から、入力ポートＰＩsbに供給された信号Ｄhd-sltに切り替える。また、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩhbに供給されたアップコンバータ１４tbからの信号Ｄsu-htbから、入力ポートＰＩh2に供給されたＨＤ-16:9コンテンツ信号Ｄhi2に切り替える。
【０１０７】
従って、サイマル送出されるコンテンツは、入力ポートＰＩs1に供給されたＳＤ-16:9コンテンツから、入力ポートＰＩh2に供給されたＨＤ-16:9コンテンツに切替タイミングで切り替えられる。また、ＳＤスイッチャ１３ｄの入力ポートＰＩsbにダウンコンバータ１６ltから信号Ｄhd-sltが供給されたのち信号切替が行われるので、ＳＤ送出信号Ｄsoutに基づく画像は、切替ショックを生ずることがなく、コンテンツ内容を示す画像に欠落を生じて表示されることもない。
【０１０８】
ＳＤスイッチャ１３ｄの例えば入力ポートＰＩs1に供給されているＳＤ-16:9コンテンツ信号Ｄsi1から、ＨＤスイッチャ１５ｄの例えば入力ポートＰＩh4に供給されるＨＤ-4:3コンテンツ信号Ｄhi4に切り替える場合（図の「ＣＡＳＥ１０」）。
【０１０９】
この場合、切替前にはＳＤ-16:9コンテンツの送出を行っているので、ＳＤスイッチャ１３ｄでは、入力ポートＰＩs1に供給されているＳＤ-16:9コンテンツ信号Ｄsi1を選択してＳＤ送出信号Ｄsoutとして出力している。また切替後は、ＨＤ-4:3コンテンツの送出を行うので、ＳＤスイッチャ１３ｄでは、コンテンツ内容を示す画像が画枠よりも縮小して表示されることがないように、ダウンコンバータ１６scから入力ポートＰＩsaに供給されている信号Ｄhd-sscを選択してＳＤ送出信号Ｄsoutとして出力させる必要がある。また、ＨＤスイッチャ１５ｄでは、切替後に入力ポートＰＩh4に供給されているＨＤ-4:3コンテンツ信号Ｄhi4を選択してＨＤ送出信号Ｄhoutとして出力させる必要がある。ここで、ダウンコンバータ１６scからの信号Ｄhd-sscの供給が送出制御情報に基づく切替タイミングよりも遅れると、この切替タイミングで信号切替をＳＤスイッチャ１３ｄで行ったときに切替ショックが生じてしまう。
【０１１０】
このため、制御部２０ｄは、送出制御情報に基づく切替タイミング前に、ＨＤコンテンツ供給部１２からＨＤ-4:3コンテンツ信号Ｄhi4をＨＤスイッチャ１５ｄの入力ポートＰＩh4に供給して、この入力ポートＰＩh4に供給されたＨＤ-4:3コンテンツ信号Ｄhi4を、ＳＤ変換用出力ポートＰＯhaから信号Ｄhdaとしてダウンコンバータ１６scに供給させる。その後、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩs1に供給されたＳＤ-16:9コンテンツ信号Ｄsi1から、入力ポートＰＩsaに供給された信号Ｄhd-sscに切り替える。また、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩhbに供給されたアップコンバータ１４tbからの信号Ｄsu-htbから、入力ポートＰＩh4に供給されたＨＤ-4:3コンテンツ信号Ｄhi4に切り替える。
【０１１１】
従って、サイマル送出されるコンテンツは、入力ポートＰＩs1に供給されたＳＤ-16:9コンテンツから、入力ポートＰＩh4に供給されたＨＤ-4:3コンテンツに切替タイミングで切り替えられる。また、ＳＤスイッチャ１３ｄの入力ポートＰＩsaにダウンコンバータ１６scから信号Ｄhd-sscが供給されたのち信号切替が行われるので、ＳＤ送出信号Ｄsoutに基づく画像は、切替ショックを生ずることがなく、コンテンツ内容を示す画像が画枠よりも縮小して表示されることもない。
【０１１２】
ＳＤスイッチャ１３ｄの例えば入力ポートＰＩs3に供給されているＳＤ-4:3コンテンツ信号Ｄsi3から、ＨＤスイッチャ１５ｄの例えば入力ポートＰＩh2に供給されるＨＤ-16:9コンテンツ信号Ｄhi2に切り替える場合（図の「ＣＡＳＥ１１」）。
【０１１３】
この場合、切替前にはＳＤ-4:3コンテンツの送出を行っているので、ＳＤスイッチャ１３ｄでは、入力ポートＰＩs3に供給されているＳＤ-4:3コンテンツ信号Ｄsi3を選択してＳＤ送出信号Ｄsoutとして出力している。また切替後は、ＨＤ-16:9コンテンツの送出を行うので、ＳＤスイッチャ１３ｄでは、コンテンツ内容を示す画像に欠落を生じて表示されることがないように、ダウンコンバータ１６ltから入力ポートＰＩsbに供給されている信号Ｄhd-sltを選択してＳＤ送出信号Ｄsoutとして出力させる必要がある。また、ＨＤスイッチャ１５ｄでは、切替後に入力ポートＰＩh2に供給されているＨＤ-16:9コンテンツ信号Ｄhi2を選択してＨＤ送出信号Ｄhoutとして出力させる必要がある。ここで、ダウンコンバータ１６ltからの信号Ｄhd-sltの供給が送出制御情報に基づく切替タイミングよりも遅れると、この切替タイミングで信号切替をＳＤスイッチャ１３ｄで行ったときに切替ショックが生じてしまう。
【０１１４】
このため、制御部２０ｄは、送出制御情報に基づく切替タイミング前に、ＨＤコンテンツ供給部１２からＨＤ-16:9コンテンツ信号Ｄhi2をＨＤスイッチャ１５ｄの入力ポートＰＩh2に供給して、この入力ポートＰＩh2に供給されたＨＤ-16:9コンテンツ信号Ｄhi2を、ＳＤ変換用出力ポートＰＯhbから信号Ｄhdbとしてダウンコンバータ１６ltに供給させる。その後、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩs3に供給されたＳＤ-4:3コンテンツ信号Ｄsi3から、入力ポートＰＩsbに供給された信号Ｄhd-sltに切り替える。また、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩhaに供給されたアップコンバータ１４spからの信号Ｄsu-hspから、入力ポートＰＩh2に供給されたＨＤ-16:9コンテンツ信号Ｄhi2に切り替える。
【０１１５】
従って、サイマル送出されるコンテンツは、入力ポートＰＩs3に供給されたＳＤ-4:3コンテンツから、入力ポートＰＩh2に供給されたＨＤ-16:9コンテンツに切替タイミングで切り替えられる。また、ＳＤスイッチャ１３ｄの入力ポートＰＩsbにダウンコンバータ１６ltから信号Ｄhd-sltが供給されたのち信号切替が行われるので、ＳＤ送出信号Ｄsoutに基づく画像は、切替ショックを生ずることがなく、コンテンツ内容を示す画像に欠落を生じて表示されることもない。
【０１１６】
ＳＤスイッチャ１３ｄの例えば入力ポートＰＩs3に供給されているＳＤ-4:3コンテンツ信号Ｄsi3から、ＨＤスイッチャ１５ｄの例えば入力ポートＰＩs4に供給されるＨＤ-4:3コンテンツ信号Ｄhi4に切り替える場合（図の「ＣＡＳＥ１２」）。
【０１１７】
この場合、切替前にはＳＤ-4:3コンテンツの送出を行っているので、ＳＤスイッチャ１３ｄでは、入力ポートＰＩs3に供給されているＳＤ-4:3コンテンツ信号Ｄsi3を選択してＳＤ送出信号Ｄsoutとして出力している。また切替後は、ＨＤ-4:3コンテンツの送出を行うので、ＳＤスイッチャ１３ｄでは、コンテンツ内容を示す画像が画枠よりも縮小して表示されることがないように、ダウンコンバータ１６scから入力ポートＰＩsaに供給されている信号Ｄhd-sscを選択してＳＤ送出信号Ｄsoutとして出力させる必要がある。また、ＨＤスイッチャ１５ｄでは、切替後に入力ポートＰＩh4に供給されているＨＤ-4:3コンテンツ信号Ｄhi4を選択してＨＤ送出信号Ｄhoutとして出力させる必要がある。ここで、ダウンコンバータ１６scからの信号Ｄhd-sscの供給が送出制御情報に基づく切替タイミングよりも遅れると、この切替タイミングで信号切替をＳＤスイッチャ１３ｄで行ったときに切替ショックが生じてしまう。
【０１１８】
このため、制御部２０ｄは、送出制御情報に基づく切替タイミング前に、ＨＤコンテンツ供給部１２からＨＤ-4:3コンテンツ信号Ｄhi4をＨＤスイッチャ１５ｄの入力ポートＰＩh4に供給して、この入力ポートＰＩh4に供給されたＨＤ-4:3コンテンツ信号Ｄhi4を、ＳＤ変換用出力ポートＰＯhaから信号Ｄhdaとしてダウンコンバータ１６scに供給させる。その後、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩs3に供給されたＳＤ-4:3コンテンツ信号Ｄsi3から、入力ポートＰＩsaに供給された信号Ｄhd-hscに切り替える。また、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩhaに供給されたアップコンバータ１４spからの信号Ｄsu-hspから、入力ポートＰＩh4に供給されたＨＤ-4:3コンテンツ信号Ｄhi4に切り替える。
【０１１９】
従って、サイマル送出されるコンテンツは、入力ポートＰＩs3に供給されたＳＤ-4:3コンテンツから、入力ポートＰＩh4に供給されたＨＤ-4:3コンテンツに切替タイミングで切り替えられる。また、ＳＤスイッチャ１３ｄの入力ポートＰＩsaにダウンコンバータ１６scから信号Ｄhd-sscが供給されたのち信号切替が行われるので、ＳＤ送出信号Ｄsoutに基づく画像は、切替ショックを生ずることがなく、コンテンツ内容を示す画像が画枠より縮小して表示されることもない。
【０１２０】
ＳＤスイッチャ１３ｄの例えば入力ポートＰＩs1に供給されているＳＤ-16:9コンテンツ信号Ｄsi1から、入力ポートＰＩs2に供給されるＳＤ-16:9コンテンツ信号Ｄsi2に切り替える場合（図の「ＣＡＳＥ１３」）。
【０１２１】
この場合、切換前にはＳＤ-16:9コンテンツの送出を行っているので、ＨＤスイッチャ１５ｄでは、コンテンツ内容を示す画像が画枠よりも縮小されて表示されることがないように、アップコンバータ１４tbから入力ポートＰＩhbに供給されている信号Ｄsu-htbを選択してＨＤ送出信号Ｄhoutとして出力している。また、切替後にもＳＤ-16:9コンテンツの送出を行うことから、ＨＤスイッチャ１５ｄにおける信号切替は不要である。
【０１２２】
このため、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩs1に供給されたＳＤ-16:9コンテンツ信号Ｄsi1から、入力ポートＰＩs2に供給されたＳＤ-16:9コンテンツ信号Ｄsi2に切り替える。また、送出制御情報に基づく切替タイミングでＨＤ変換用出力ポートＰＯsbから出力する信号Ｄsubを、入力ポートＰＩs1に供給されたＳＤ-16:9コンテンツ信号Ｄsi1から、入力ポートＰＩs2に供給されたＳＤ-16:9コンテンツ信号Ｄsi2に切り替える。
【０１２３】
従って、サイマル送出されるコンテンツは、入力ポートＰＩs1に供給されたＳＤ-16:9コンテンツから、入力ポートＰＩs2に供給されたＳＤ-16:9コンテンツに切替タイミングで切り替えられる。また、ＨＤスイッチャ１５ｄで信号切替が行われていないことから、ＨＤ送出信号Ｄsoutに基づく画像に切替ショックが生ずることもない。
【０１２４】
ＳＤスイッチャ１３ｄの例えば入力ポートＰＩs1に供給されているＳＤ-16:9コンテンツ信号Ｄsi1から、入力ポートＰＩs4に供給されるＳＤ-4:3コンテンツ信号Ｄsi4に切り替える場合（図の「ＣＡＳＥ１４」）。
【０１２５】
この場合、切替前にはＳＤ-16:9コンテンツの送出を行っているので、ＨＤスイッチャ１５ｄでは、コンテンツ内容を示す画像が画枠よりも縮小されて表示されることがないように、アップコンバータ１４tbから入力ポートＰＩhbに供給されている信号Ｄsu-htbを選択してＨＤ送出信号Ｄhoutとして出力している。また、切替後は、画角が異なるＳＤ-4:3コンテンツ信号Ｄsi4を選択しなければならない。従って、ＨＤスイッチャ１３ｄでは、コンテンツ内容を示す画像に欠落を生じて表示されてしまうことがないように、入力ポートＰＩhbに供給されているアップコンバータ１４tbからの信号Ｄsu-htbに代えて、入力ポートＰＩhaに供給されているアップコンバータ１４spからの信号Ｄsu-hscを選択してＨＤ送出信号Ｄhoutとして出力させる必要がある。ここで、アップコンバータ１４spからの信号Ｄsu-hspの供給が送出制御情報に基づく切替タイミングよりも遅れると、この切替タイミングで信号切替をＨＤスイッチャ１５ｄで行ったときに切替ショックが生じてしまう。
【０１２６】
このため、制御部２０ｄは、送出制御情報に基づく切替タイミング前に、ＳＤコンテンツ供給部１１からＳＤ-4:3コンテンツ信号Ｄsi4をＳＤスイッチャ１３ｄの入力ポートＰＩs4に供給して、この入力ポートＰＩs4に供給されたＳＤ-4:3コンテンツ信号Ｄsi4を、ＨＤ変換用出力ポートＰＯsaから信号Ｄsuaとしてアップコンバータ１４spに供給させる。その後、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩs1に供給されたＳＤ-16:9コンテンツ信号Ｄsi1から、入力ポートＰＩs4に供給されたＳＤ-4:3コンテンツ信号Ｄsi4に切り替える。また、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩhbに供給されたアップコンバータ１４tbからの信号Ｄsu-htbから、入力ポートＰＩhaに供給されたアップコンバータ１４spからの信号Ｄsu-hspに切り替える。
【０１２７】
従って、サイマル送出されるコンテンツは、入力ポートＰＩs1に供給されたＳＤ-16:9コンテンツから、入力ポートＰＩs4に供給されたＳＤ-4:3コンテンツに切替タイミングで切り替えられる。また、スイッチャ１５ｄの入力ポートＰＩhaにアップコンバータ１４spから信号Ｄsu-hspが供給されたのち信号切替が行われるので、ＨＤ送出信号Ｄhoutに基づく画像は、切替ショックを生ずることがなく、コンテンツ内容を示す画像に欠落を生じて表示されることもない。
【０１２８】
ＳＤスイッチャ１３ｄの例えば入力ポートＰＩs3に供給されているＳＤ-4:3コンテンツ信号Ｄsi3から、入力ポートＰＩs2に供給されるＳＤ-16:9コンテンツ信号Ｄsi2に切り替える場合（図の「ＣＡＳＥ１５」）。
【０１２９】
この場合、切替前にはＳＤ-4:3コンテンツの送出を行っているので、ＨＤスイッチャ１５ｄでは、コンテンツ内容を示す画像に欠落を生じて表示されることがないように、アップコンバータ１４spから入力ポートＰＩhaに供給されている信号Ｄsu-hspを選択してＨＤ送出信号Ｄhoutとして出力している。また、切替後は、画角が異なるＳＤ-16:9コンテンツ信号Ｄsi2を選択しなければならない。従って、ＨＤスイッチャ１５ｄでは、コンテンツ内容を示す画像が画枠よりも縮小して表示されてしまうことがないように、入力ポートＰＩhaに供給されているアップコンバータ１４spからの信号Ｄsu-hspに代えて、入力ポートＰＩhbに供給されているアップコンバータ１４tbからの信号Ｄsu-htbを選択してＨＤ送出信号Ｄhoutとして出力させる必要がある。ここで、アップコンバータ１４tbからの信号Ｄsu-htbの供給が送出制御情報に基づく切替タイミングよりも遅れると、この切替タイミングで信号切替をＨＤスイッチャ１５ｄで行ったときに切替ショックが生じてしまう。
【０１３０】
このため、制御部２０ｄは、送出制御情報に基づく切替タイミング前に、ＳＤコンテンツ供給部１１からＳＤ-16:9コンテンツ信号Ｄsi2をＳＤスイッチャ１３ｄの入力ポートＰＩs2に供給して、この入力ポートＰＩs2に供給されたＳＤ-16:9コンテンツ信号Ｄsi2を、ＨＤ変換用出力ポートＰＯsbから信号Ｄsubとしてアップコンバータ１４tbに供給させる。その後、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩs3に供給されたＳＤ-4:3コンテンツ信号Ｄsi3から、入力ポートＰＩs2に供給されたＳＤ-16:9コンテンツ信号Ｄsi2に切り替える。また、制御部２０ｄは、送出制御情報に基づく切替タイミングでコンテンツの切替をＨＤスイッチャ１５ｄで行い、送出ポートＰＯhから出力するＨＤ送出信号Ｄhoutを、入力ポートＰＩhaに供給されたアップコンバータ１４spからの信号Ｄsu-hspから、入力ポートＰＩhbに供給されたアップコンバータ１４tbからの信号Ｄsu-htbに切り替える。
【０１３１】
従って、サイマル送出されるコンテンツは、入力ポートＰＩs3に供給されたＳＤ-4:3コンテンツから、入力ポートＰＩs2に供給されたＳＤ-16:9コンテンツに切替タイミングで切り替えられる。また、スイッチャ１５ｄの入力ポートＰＩhbにアップコンバータ１４tbから信号Ｄsu-htbが供給されたのち信号切替が行われるので、ＨＤ送出信号Ｄhoutに基づく画像は、切替ショックを生ずることがなく、コンテンツ内容を示す画像が画枠よりも縮小されて表示されることもない。
【０１３２】
ＳＤスイッチャ１３ｄの例えば入力ポートＰＩs3に供給されているＳＤ-4:3コンテンツ信号Ｄsi3から、入力ポートＰＩs4に供給されるＳＤ-4:3コンテンツ信号Ｄsi4に切り替える場合（図の「ＣＡＳＥ１６」）。
【０１３３】
この場合、切替前にはＳＤ-4:3コンテンツの送出を行っているので、ＨＤスイッチャ１５ｄでは、コンテンツ内容を示す画像に欠落を生じて表示されることがないように、アップコンバータ１４spから入力ポートＰＩhaに供給されている信号Ｄsu-hspを選択してＨＤ送出信号Ｄhoutとして出力している。また、切替後にもＳＤ-4:3コンテンツの送出を行うことから、ＨＤスイッチャ１５ｄにおける信号切替は不要である。
【０１３４】
このため、制御部２０ｄは、送出制御情報に基づく切替タイミングでコンテンツの切替をＳＤスイッチャ１３ｄで行い、送出ポートＰＯsから出力するＳＤ送出信号Ｄsoutを、入力ポートＰＩs3に供給されたＳＤ-4:3コンテンツ信号Ｄsi3から、入力ポートＰＩs4に供給されたＳＤ-4:3コンテンツ信号Ｄsi4に切り替える。また、送出制御情報に基づく切替タイミングでＨＤ変換用出力ポートＰＯsaから出力する信号Ｄsuaを、入力ポートＰＩs3に供給されたＳＤ-4:3コンテンツ信号Ｄsi3から、入力ポートＰＩs4に供給されたＳＤ-4:3コンテンツ信号Ｄsi4に切り替える。
【０１３５】
従って、サイマル送出されるコンテンツは、入力ポートＰＩs3に供給されたＳＤ-4:3コンテンツから、入力ポートＰＩs4に供給されたＳＤ-4:3コンテンツに切替タイミングで切り替えられる。また、ＨＤスイッチャ１５ｄで信号切替が行われていないことから、ＨＤ送出信号Ｄhoutに基づく画像に切替ショックが生ずることもない。
【０１３６】
このように、コンテンツ内容を示す画像の画角に応じた画角変換が行われた信号を送出する場合にも、切替ショックを発生させることなくコンテンツ信号の送出を行うことができる。また、送出されたコンテンツ内容を示す画像は、欠落を生じたり画枠より縮小されてされることがない。
【０１３７】
ところで、上述のコンテンツ信号は、ディジタル信号あるいはアナログ信号であっても良い。例えばＳＤスイッチャ１３とＨＤスイッチャ１５でディジタル信号の切り替えを行い、ＳＤコンテンツ供給部１１から供給されるＳＤコンテンツ信号がアナログ信号である場合、ＳＤコンテンツ供給部１１とＳＤスイッチャ１３との間に、送出するＳＤコンテンツ信号を選択するスイッチャと、該スイッチャで選択された信号をディジタル信号に変換してＳＤスイッチャ１３に供給するＡ／Ｄ変換器を設けるものとすれば、上述の説明と同様にしてアナログ信号であるＳＤコンテンツ信号の送出も容易に行うことができる。さらに、ＳＤ送出信号をアナログ信号として出力する場合には、ＳＤ送出信号Ｄsoutをアナログ信号に変換するＤ／Ａ変換器を設けるものとすればよい。
【０１３８】
また、上述の実施の形態では、ＳＤフォーマットのコンテンツ信号あるいはＨＤフォーマットのコンテンツ信号を用いて、内容の等しいコンテンツをＳＤフォーマットおよびＨＤフォーマットでサイマル送出する場合を説明したが、送出するコンテンツは、異なる２つのフォーマットに限られるものではない。例えば、３つ以上のフォーマットを用いる場合にも、用いるフォーマットに応じて信号選択手段や信号変換手段を設けるものとすれば、同じ内容のコンテンツを異なるフォーマットで同時に送出できる。また、サイマル送出は複数チャネルで行うものとしても良いことは勿論である。
【産業上の利用可能性】
【０１３９】
以上のように、本発明にかかる自動送出システムは、放送番組や配信番組をスケジュールに従って自動的に送出する場合に有用であり、異なるフォーマットのコンテンツ送出に適用している。
【図面の簡単な説明】
【０１４０】
【図１】自動送出システムの要部構成を示す図である。
【図２】送出制御情報を示す図である。
【図３】自動送出システムの動作を説明するための図である。
【図４】他の自動送出システムの要部構成を示す図である。
【図５】他の自動送出システムの動作を説明するための図である。
【図６】切替ショックの発生を防止できる自動送出システムの要部構成を示す図である。
【図７】切替ショックの発生を防止できる自動送出システムの制御動作を説明するための図である。
【図８】切替ショックの発生を防止できる他の自動送出システムの要部構成を示す図である。
【図９】切替ショックの発生を防止できる他の自動送出システムの制御動作を説明するための図である。
【図１０】従来の自動送出システムの要部構成を示す図である。
【図１１】送出するコンテンツの画像と送出信号に基づく画像の関係を示す図である。
【符号の説明】
【０１４１】
１０ａ，１０ｂ，１０ｃ，１０ｄ・・・自動送出システム、１１，５１・・・ＳＤコンテンツ供給部、１２、５２・・・ＨＤコンテンツ供給部、１３，１３ｃ、１３ｄ・・・ＳＤスイッチャ、１４，１４sp，１４tb，５３・・・アップコンバータ、１５，１５ｃ，１５ｄ，５４・・・ＨＤスイッチャ、１６，１６sc，１６lt，５５・・・ダウンコンバータ、２０ａ，２０ｂ，２０ｃ，２０ｄ・・・制御部、５１・・・コンテンツ供給部
【図１】
2006203821.tif 000003
【図２】
2006203821.tif 000004
【図３】
2006203821.tif 000005
【図４】
2006203821.tif 000006
【図５】
2006203821.tif 000007
【図６】
2006203821.tif 000008
【図７】
2006203821.tif 000009
【図８】
2006203821.tif 000010
【図９】
2006203821.tif 000011
【図１０】
2006203821.tif 000012
【図１１】
2006203821.tif 000013